(57)【特許請求の範囲】
【請求項１】
メモリとプロセッサとを有する局（STA）デバイスであって、
前記プロセッサは、前記メモリに対して、前記STAと他のSTAとの間で無線接続を維持するためにハートビートメッセージを処理するように構成され、前記ハートビートメッセージは、送信機会（TxOP）の第１のパケットを送信するために制御物理レイヤ（PHY）変調、シングルキャリア（SC）変調又は直交周波数分割多重（OFDM）変調タイプが使用されるか否かを決定するために使用されるハートビート及びハートビート経過指示値を含み、
前記制御PHY変調、SC変調又はOFDM変調は、経過時間がハートビート経過時間未満である場合に使用され、前記経過時間及び前記ハートビート経過時間は、
経過時間=(次のTxOPnの開始時間)-(前のTxOPn-1の最大持続時間の終わり)
ハートビート経過時間=(2Heartbeat  Elapsed  Indication)*(0.25msec)
を使用して導出され、ただし、TxOPnは現在の送信機会であり、TxOPn-1は前の送信機会であり、前記ハートビート経過指示（Heartbeat  Elapsed  Indication）は受信側STAで規定され、前記STAに通信されるSTAデバイス。
【請求項２】
前記処理は、パケットを送信する前に、前記ハートビート値が1に等しく、前記ハートビート経過指示値が0に等しいか否かを検査することを含む、請求項１に記載のSTAデバイス。
【請求項３】
前記パケットの送信は、前記制御PHY変調を使用し、前記パケットは、RTS（ready  to  send）又はself-CTS（self-clear  to  send）を含む、請求項２に記載のSTAデバイス。
【請求項４】
前記制御PHY変調、SC変調又はOFDM変調は、前記ハートビート値が1に等しくない場合に使用される、請求項１に記載のSTAデバイス。
【請求項５】
メモリとプロセッサとを有する局（STA）デバイスであって、
前記プロセッサは、前記メモリに対して、前記STAと他のSTAとの間で無線接続を維持するためにハートビートメッセージを処理するように構成され、前記ハートビートメッセージは、送信機会（TxOP）の第１のパケットを送信するために制御物理レイヤ（PHY）変調、シングルキャリア（SC）変調又は直交周波数分割多重（OFDM）変調タイプが使用されるか否かを決定するために使用されるハートビート及びハートビート経過指示値を含み、
前記制御PHY変調は、経過時間がハートビート経過時間より長い場合にTxOPにおいて第１のフレームを送信するために使用され、前記経過時間及び前記ハートビート経過時間は、
経過時間=(次のTxOPnの開始時間)-(前のTxOPn-1の最大持続時間の終わり)
ハートビート経過時間=(2Heartbeat  Elapsed  Indication)*(0.25msec)
を使用して導出され、ただし、TxOPnは現在の送信機会であり、TxOPn-1は前の送信機会であるSTAデバイス。
【請求項６】
前記メッセージは、前記シングルキャリア（SC）変調又は前記OFDM変調のプリアンブル長より実質的に長い前記制御PHY変調のプリアンブル長に対処するために使用される、請求項１に記載のSTAデバイス。
【請求項７】
メモリと前記メモリに接続されたプロセッサとを有する局（STA）デバイスであって、
前記プロセッサは、他のSTAデバイスと無線接続を保持するときに制御PHY変調されたパケットの受信を示すためのメッセージを構成し、
前記メッセージは、前記構成されたメッセージに基づいて前記制御PHY変調が受信されるか、他のタイプの変調が受信されるかに応じて、前記STAデバイスの自動利得制御（AGC）機能を有効又は無効にするために利用されるSTAデバイス。
【請求項８】
他のタイプの変調は、シングルキャリア（SC）変調又は直交周波数分割多重（OFDM）変調を含む、請求項７に記載のSTAデバイス。
【請求項９】
前記メッセージは、前記制御PHY変調されたパケットの受信を示すために、1に等しいハートビート値と、0に等しいハートビート経過指示値とを含む、請求項７に記載のSTAデバイス。
【請求項１０】
前記メッセージは、前記制御PHY変調されたパケット、シングルキャリア（SC）変調されたパケット又は直交周波数分割多重（OFDM）変調されたパケットの受信を示すために、1に等しくないハートビート値を含む、請求項７に記載のSTAデバイス。
【請求項１１】
前記メッセージは、前記STAデバイスにより予想される変調のタイプを決定するために利用される経過時間及びハートビート経過時間値を導出するために使用され、前記経過時間及び前記ハートビート経過時間は、
経過時間=(次のTxOPnの開始時間)-(前のTxOPn-1の最大持続時間の終わり)
ハートビート経過時間=(2Heartbeat  Elapsed  Indication)*(0.25msec)
を使用して導出され、ただし、TxOPnは現在の送信機会であり、TxOPn-1は他のSTAデバイスのための前の送信機会である、請求項７に記載のSTAデバイス。
【請求項１２】
前記メッセージは、シングルキャリア（SC）変調又は直交周波数分割多重（OFDM）変調のプリアンブル長より実質的に長い前記制御PHY変調のプリアンブル長に対処するために使用される、請求項７に記載のSTAデバイス。
【請求項１３】
前記AGC機能は、前記制御PHY変調されたパケットを受信したときに有効にされ、シングルキャリア（SC）変調されたパケット又は直交周波数分割多重（OFDM）変調されたパケットを受信したときに無効にされる、請求項７に記載のSTAデバイス。
【請求項１４】
送信側局（STA）デバイスにより無線接続を保持するための方法であって、
前記STAデバイスと他のSTAデバイスとの間に無線接続が確立されたときに、ハートビート及びハートビート経過指示値を含むメッセージを検査するステップと、
前記ハートビート及びハートビート経過指示値に基づいて、前記無線接続を保持するためにパケットを送信する際に使用する変調のタイプを決定するステップであり、制御PHY変調は、前記ハートビート値が1に等しく、前記ハートビート経過指示値が0に等しい場合に使用され、前記制御PHY変調、シングルキャリア（SC）変調又は直交周波数分割多重（OFDM）変調は、前記ハートビート値が1に等しくない場合に使用されるステップと、
前記制御PHY、SC又はOFDM変調されたパケットを送信するステップと
を有し、
前記制御PHY変調、SC変調又はOFDM変調は、経過時間がハートビート経過時間未満である場合に使用され、前記経過時間及び前記ハートビート経過時間は、
経過時間=(次のTxOPnの開始時間)-(前のTxOPn-1の最大持続時間の終わり)
ハートビート経過時間=(2Heartbeat  Elapsed  Indication)*(0.25msec)
を使用して導出され、ただし、TxOPnは現在の送信機会であり、TxOPn-1は前の送信機会であり、前記ハートビート経過指示（Heartbeat  Elapsed  Indication）は受信側STAデバイスで規定され、前記STAデバイスに通信される方法。
【請求項１５】
送信側局（STA）デバイスにより無線接続を保持するための方法であって、
前記STAデバイスと他のSTAデバイスとの間に無線接続が確立されたときに、ハートビート及びハートビート経過指示値を含むメッセージを検査するステップと、
前記ハートビート及びハートビート経過指示値に基づいて、前記無線接続を保持するためにパケットを送信する際に使用する変調のタイプを決定するステップであり、制御PHY変調は、前記ハートビート値が1に等しく、前記ハートビート経過指示値が0に等しい場合に使用され、前記制御PHY変調、シングルキャリア（SC）変調又は直交周波数分割多重（OFDM）変調は、前記ハートビート値が1に等しくない場合に使用されるステップと、
前記制御PHY、SC又はOFDM変調されたパケットを送信するステップと
を有し、
前記制御PHY変調は、経過時間がハートビート経過時間より長い場合に使用され、前記経過時間及び前記ハートビート経過時間は、
経過時間=(次のTxOPnの開始時間)-(前のTxOPn-1の最大持続時間の終わり)
ハートビート経過時間=(2Heartbeat  Elapsed  Indication)*(0.25msec)
を使用して導出され、ただし、TxOPnは現在の送信機会であり、TxOPn-1は前の送信機会であり、前記制御PHY変調は、前記TxOPnの持続時間中に使用される方法。
【請求項１６】
前記メッセージは、前記SC変調又は前記OFDM変調のプリアンブル長より実質的に長い前記制御PHY変調のプリアンブル長に対処するために使用される、請求項１５に記載の方法。
【請求項１７】
前記TxOPは、前記STAデバイスが送信を開始する権利を有するときの時間間隔を含み、前記時間間隔は、前記TxOPに構成された時間の最大持続時間までの開始時間により規定される、請求項１５に記載の方法。
【請求項１８】
前記メッセージは、他のSTAデバイスにおいて線形性を維持するために自動利得制御（AGC）を調整する基礎として利用される、請求項１５に記載の方法。
【請求項１９】
前記STAデバイスと他のSTAデバイスとの間に無線接続を確立するステップを更に有する、請求項１５に記載の方法。
【請求項２０】
受信側局（STA）デバイスにより無線接続を保持するための方法であって、
他のSTAデバイスと無線接続を保持するときに制御PHY変調されたパケットの受信を示すためのメッセージを構成するステップであり、前記メッセージは、前記構成されたメッセージに基づいて前記制御PHY変調が受信されるか、他のタイプの変調が受信されるかに応じて、前記STAデバイスの自動利得制御（AGC）機能を有効又は無効にするために利用されるステップと、
変調されたパケットを受信するステップと
を有する方法。
【請求項２１】
他のタイプの変調は、シングルキャリア（SC）変調又は直交周波数分割多重（OFDM）変調を含む、請求項２０に記載の方法。
【請求項２２】
前記メッセージは、前記制御PHY変調されたパケットの受信を示すために、1に等しいハートビート値と、0に等しいハートビート経過指示値とを含む、請求項２０に記載の方法。
【請求項２３】
前記メッセージは、前記制御PHY変調されたパケット、シングルキャリア（SC）変調されたパケット又は直交周波数分割多重（OFDM）変調されたパケットの受信を示すために、1に等しくないハートビート値を含む、請求項２０に記載の方法。
【請求項２４】
前記メッセージは、経過時間及びハートビート経過時間を導出するために使用され、前記経過時間及び前記ハートビート経過時間は、
経過時間=(次のTxOPnの開始時間)-(前のTxOPn-1の最大持続時間の終わり)
ハートビート経過時間=(2Heartbeat  Elapsed  Indication)*(0.25msec)
を使用して導出され、ただし、TxOPnは現在の送信機会であり、TxOPn-1は他のSTAデバイスのための前の送信機会である、請求項２０に記載の方法。
【請求項２５】
前記メッセージは、シングルキャリア（SC）変調又は直交周波数分割多重（OFDM）変調のプリアンブル長より実質的に長い前記制御PHY変調のプリアンブル長に対処するために使用される、請求項２０に記載の方法。
【請求項２６】
前記AGC機能は、前記制御PHY変調されたパケットを受信したときに有効にされ、シングルキャリア（SC）変調されたパケット又は直交周波数分割多重（OFDM）変調されたパケットを受信したときに無効にされる、請求項２０に記載の方法。
【発明の詳細な説明】
【背景技術】
【０００１】
Wireless  Gigabit  Alliance（WiGigとしても知られる）仕様は、無線デバイスが数ギガビットの速度で通信することを可能にし得る。数ギガビットの速度は、現在の無線ローカルエリアネットワーク（LAN：local  area  network）デバイスの能力を補う高性能の無線データ、ディスプレイ及びオーディオアプリケーションを可能にし得る。例えば、60GHz帯域で動作するWiGigトライバンド可能なデバイスは、7Gbits/secまでのデータ伝送レートを配信し得る。
【発明の概要】
【発明が解決しようとする課題】
【０００２】
現在では、WiGig仕様及びIEEE（Institute  of  Electrical  and  Electronics  Engineers）802.11ad標準に３つの異なる変調タイプが存在する。異なる変調タイプは、制御物理レベル（PHY）変調、シングルキャリア（SC：single  carrier）変調又は直交周波数分割多重（OFDM：orthogonal  frequency  division  multiplexing）変調を含んでもよい。これらの変調タイプの間のプリアンブル期間の違いのため、受信局（STA）デバイスにおける線形性は、無線接続が前に接続されたSTAデバイスとの間で維持される場合に影響を受ける可能性がある。換言すると、受信側STAは、受信側STAデバイスにおける線形性を維持するために、どの変調タイプが受信した送信電力において利用されるかを予想する必要があり得る。
【図面の簡単な説明】
【０００３】
【図１】WiGig（wireless  gigabit  alliance）仕様及びIEEE（Institute  of  Electrical  and  Electronics  Engineers）802.11ad標準を採用した例示的なシステム
【図２】WiGig（wireless  gigabit  alliance）仕様及びIEEE（Institute  of  Electrical  and  Electronics  Engineers）802.11ad標準における異なる変調タイプの例示的なパケット構成
【図３】局（STA）の間で無線接続を維持する基礎として使用され得る例示的なメッセージ構成
【図４】送信側局（STA）エンドで無線接続を維持する例示的な方法
【図５】受信側局（STA）エンドで無線接続を維持する例示的な方法
【図６】STAデバイスと他のSTAデバイスとの間に無線接続の保持を実現する例示的な局（STA）デバイス
【図７】例示的な局（STA）デバイス
【発明を実施するための形態】
【０００４】
以下の詳細な説明は、添付図面を参照して提供される。図面において、参照符号の最も左の桁は、通常では参照符号が最初に現れる図面を特定する。異なる図面において同じ参照符号を使用することは、類似又は同様の項目を示す。
【０００５】
この文献は、WiGig（wireless  gigabit  alliance）仕様及びIEEE（Institute  of  Electrical  and  Electronics  Engineers）802.11ad標準において局（STA）の間で無線接続を維持するための１つ以上のシステム、装置、方法等を開示する。実装において、無線接続は、60GHz周波数帯域で動作する第１のSTAと第２のSTAとの間に確立されてもよい。この実装では、メッセージは、送信機会（TxOP）内でパケットを送信する際に使用される特定のタイプの変調に関して、第１のSTAと第２のSTAとの間で通信される。例えば、第１のSTAは、無線接続を保持又は維持するために、特定のタイプの変調を使用してパケットを第２のSTAに送信してもよく、逆も同様である。この例では、メッセージは、使用される特定のタイプの変調に関する情報を含んでもよい。
【０００６】
WiGig仕様又はIEEE802.11ad標準では、変調タイプは、制御物理レベル（PHY）変調、シングルキャリア（SC）変調又は直交周波数分割多重（OFDM）変調を含んでもよい。これらの変調タイプの間のプリアンブル長の違いのため、メッセージが構成され、受信側STAエンドから送信側STAエンドに通信されてもよい。例えば、第２のSTAは、どのタイプの変調が送信パケットに利用されるかを示すために、STA又はピアの間の予め確立された合意を取得するためのメッセージを使用してもよい。
【０００７】
実装では、利用する変調のタイプの予想は、（受信側）STAがその自動制御利得（AGC：automatic  control  gain）機能を可能にし、受信した送信電力において線形性を維持することを可能にしてもよい。例えば、制御PHY変調が利用される場合、STAは、そのAGC機能を可能にしてもよい。この例では、SC変調又はOFDM変調が送信パケットで利用される場合、STAは、そのAGC機能を無効にし、前の利得を保持してもよい。
【０００８】
実装では、通信されるメッセージは、TxOPの開始のときに送信側STAにより検査されるハートビート値及びハートビート経過指示（heartbeat  elapsed  indication）値を含んでもよい。この実装では、ハートビート経過指示値は、どのタイプの変調が利用されるかを決定する際に経過時間に対して更に比較され得るハートビート経過時間値を導出するために使用されてもよい。例えば、導出されたハートビート経過時間が経過時間未満である場合、送信側STAは、制御PHY変調を使用してRTS（request  to  send）又はself-CTS（self-clear  to  send）パケットのようなパケットを送信してもよい。そうでなく、ハートビート経過時間が経過時間より長い場合、送信側STAは、TxOPの開始のときにいずれかのタイプの変調を使用してパケットを送信してもよい。実装では、経過時間及びハートビート経過時間は、以下の式を使用して計算されてもよい。
経過時間=(次のTxOPnの開始時間)-(前のTxOPn-1の最大持続時間の終わり)
ハートビート経過時間=(2Heartbeat  Elapsed  Indication)*(0.25msec)
ただし、TxOPnは現在のTxOPであり、TxOPn-1は前のTxOPである。Heartbeat  Elapsed  Indicationは受信側局により規定された値であり、前述の送信側STAのようなピア局（peer  station）に通信される。
【０００９】
図１は、WiGig仕様又はIEEE802.11ad標準を仕様又は採用する例示的なシステム100を示している。実装では、システム100は、相互に無線接続104を確立し得るSTA102-1、102-4、...102-Nを含んでもよい。この実装では、システム100は、STA102の間の予め規定された合意を含んでもよいメッセージ（図示せず）を利用することにより、STA102-2、102-4、...102-Nの間での無線接続の維持を実装してもよい。例えば、メッセージ（図示せず）は、受信側STAエンド（例えば、STA102-2）で構成されて開始され、他の送信側局STA又は複数のSTA（例えば、STA102-4又はSTA102-6等）に通信されてもよい。
【００１０】
実装では、メッセージ（図示せず）は、無線接続104を通じてパケット（図示せず）を送信するときに使用する特定のタイプの変調を含んでもよい。例えば、メッセージは、WiGig仕様又はIEEE802.11ad標準に規定された制御PHY変調をいつ使用するかを含んでもよい。この例では、SC変調又はOFDM変調のような他の変調のタイプが、メッセージ（図示せず）の構成に基づいて無線接続を保持又は維持するために使用されてもよい。
【００１１】
実装では、STA102は、アクセスポイント（AP：access  point）、パーソナル基本サービスセット・コントロールポイント（PCP：personal  basic  service  set  control  point）、非AP  STA、非PCP  STA、ポータブルデバイス（ウルトラブック、タブレットコンピュータ、ネットブック、ノートブックコンピュータ、ラップトップコンピュータ、移動電話、セルラ電話、スマートフォン、パーソナルデジタルアシスタント、マルチメディア再生デバイス、デジタル音楽プレイヤ、デジタルビデオプレイヤ、ナビゲーションデバイス、デジタルカメラ等）等を含んでもよい。
【００１２】
図２は、IEEE802.11ad標準又はWiGig仕様における異なる変調タイプの例示的なパケット構成を示している。実装では、変調タイプは、制御PHY変調202と、SC変調204と、OFDM変調206とを含んでもよい。この実装では、制御PHY変調202は、それぞれSC変調204及びOFDM変調206のプリアンブル210及び212より実質的に長いプリアンブル208を含んでもよい。例えば、プリアンブル208は、それぞれプリアンブル210及び212のSTF216（2176Tc）及びSTF218（2176Tc）に比べて、6400Tcのショート・トレーニング・フィールド（STF：short  training  field）214を含んでもよい。
【００１３】
実装では、３つのタイプの変調のチャネル推定フィールド（CEF：channel  estimation  field）は、同じ期間又は値（すなわち、1152Tc）を有する。換言すると、３つのタイプの変調は同じ値のCEF220を有し、それぞれのSTFの量の違いは、制御PHY変調202に長いプリアンブル208を提供し得る。実装では、ヘッダ222、データ224及びビームフォーミング・トレーニング226は、WiGig仕様又はIEEE802.11ad標準におけるデータ224の送信のための標準的なパケットフォーマット／構成を含んでもよい。
【００１４】
図３は、パケットを送信する際に使用される変調のタイプに関する情報を提供するメッセージ300の例示的なフォーマットを示している（例えば、送信機STAは、制御PHY変調202を使用してパケットを送信する）。実装では、受信側STAとして動作するSTA102-4と無線接続して送信側STAとして動作するSTA102-2は、メッセージ300に規定されてもよい条件に従ってもよい。この実装では、メッセージ300は、無線接続がこれらの間に確立されたときに、STA102-4からSTA102-2により受信されてもよい。このため、STA102-4は、制御PHY変調202又はいずれかのタイプの変調を利用し得るパケット（図示せず）の受信を予想してもよい。
【００１５】
実装では、メッセージ300は、ハートビート302及びハートビート経過指示（heartbeat  elapsed  indication）304を含んでもよい。ハートビート302の値が１に等しくないような実装では、TxOPの開始のときにSTA102-2は、パケット（図示せず）を送信する際に、いずれかの変調タイプ（例えば、制御PHY変調202、SC変調204又はOFDM変調206）を利用してもよい。TxOPは、前述の例のSTA102-2のような特定の局が送信を開始する権利を有するときの時間間隔を含んでもよい。時間間隔は、TxOPに構成された時間の最大持続時間までの開始時間により規定される。
【００１６】
実装では、ハートビート302の値が1に等しい場合、STA102-2は、ハートビート経過指示304の値が0に等しいか否かを検査してもよい。ハートビート経過指示304の値が0である場合、STA102-2は、制御PHY変調202によりRTS又はself-CTSのようなパケットを送信してもよい。この例では、無線接続を保持する際のSTA102-2による制御PHY変調202の利用は、STA102-4がSTA102-2からパケット（図示せず）を受信するときに自分を構成し得るように（例えば、そのAGC機能を可能にするように）STA102-4により予想されてもよい。逆に、ハートビート経過指示304の値が0に等しくない場合、STA102-2は、前のTxOPの最大持続時間の終わりにより規定される期間と現在のTxOPの開始時間とを含む経過時間がハートビート経過時間306より短いか否かを検査するように構成されてもよい。ハートビート経過時間306は、以下の式を通じて導出されてもよい。
ハートビート経過時間306=(2Heartbeat  Elapsed  Indication304)*(0.25msec)
実装では、経過時間がハートビート経過時間306より長い場合、STA102-2は、制御PHY変調202を使用してRTS又はself-CTSパケットを送信してもよい。そうでなく、経過時間が計算されたハートビート経過時間306より短い場合、STA102-2は、制御PHY変調202、SC変調204又はOFDM変調206のようないずれかのタイプの変調を使用して、パケット（図示せず）を送信してもよい。
【００１７】
図４は、送信側STAエンドで無線接続を維持する例示的な方法を示す例示的な処理フローチャート400を示している。この方法が記載される順序は、限定として解釈されることを意図するものではなく、如何なる数の記載の方法のブロックは、この方法又は別の方法を実施するためにいずれかの順序で組み合わされてもよい。更に、ここに記載の対象の要旨及び範囲を逸脱することなく、個々のブロックは、この方法から削除されてもよい。更に、本発明の範囲を逸脱することなく、この方法は、いずれか適切なハードウェア、ソフトウェア、ファームウェア又はこれらの組み合わせで実装されてもよい。
【００１８】
ブロック402において、無線接続の確立が実行される。実装では、無線接続（例えば、無線接続104）は、WiGig仕様又はIEEE802.11ad標準を採用する無線通信環境において、第１のSTA（例えば、STA102-2）と第２のSTA（例えば、STA102-4）との間に確立されてもよい。
【００１９】
ブロック404において、TxOPの開始のときにハートビート及びハートビート経過指示の検査を含むメッセージの検査が実行される。実装では、STA102-2は、パケットを送信する際にどのタイプの変調を使用するかを決定し、STA102-4との無線接続を維持してもよい。この実装では、STA102-2は、TxOPの開始のときにハートビート（例えば、ハートビート302）及びハートビート経過指示（例えば、ハートビート経過指示304）の値を検査してもよい。TxOPは、STA102-2が送信を開始する権利を有するときの時間間隔を含んでもよく、時間間隔は、TxOPに構成された時間の最大持続時間までの開始時間により規定される。
【００２０】
ブロック404において、STA102-2においてハートビート及びハートビート経過時間を設定するために、受信側STA102-4からのメッセージの検査が実行される。
【００２１】
実装では、メッセージ300は、制御PHY変調（例えば、制御PHY変調202）又は他のタイプの変調（SC変調204又はOFDM変調206）を通じてパケットの受信を予想するSTA102-4から受信されてもよい。この実装では、STA102-4は、メッセージ300に基づいて予想される変調のタイプに応じてそのAGC機能を構成及び調整することが可能になってもよい。例えば、制御PHY変調されたパケットを受信したときにAGC機能は有効になり、SC変調されたパケット又はOFDM変調されたパケットを受信したときにAGC機能は無効になる。
【００２２】
ブロック406において、ハートビートが1の値に等しいか否かの決定が実行される。実装では、STA102-2は、ハートビート302の値が1に等しいか否かを検査又は決定してもよい。NOである場合、ブロック408において、STA102-2は、TxOPの開始のときにパケットを送信する際にいずれかのタイプの変調方式（例えば、制御PHY変調202、SC変調204又はOFDM変調206）を使用してもよい。ブロック406がYESとして決定された場合、ブロック410において、ハートビート経過指示304は、0の値を含むか否かについて更に検査される。
【００２３】
（406のYESの分岐に続く）ブロック410において、ハートビート経過指示304の値が0であるか否かを決定する。YESである場合、ブロック412において、STA102-2は、各TxOPの開始のときに制御PHY変調202を通じてRTS／self-CTSパケットのようなパケットを送信してもよい。そうでない場合、（410のNOの分岐に続く）ブロック414において、経過時間は、ハートビート経過時間（例えば、ハートビート経過時間306）と比較される。経過時間がハートビート経過時間306より長い場合、STA102-2は、ブロック412において動作を実行し、特に、制御PHY変調202を使用してRTS及び／又はself-CTSパケットの送信を実行してもよい。経過時間がハートビート経過時間306未満である場合、ブロック408において、STA102-2は、いずれかのタイプの変調を使用してパケットをSTA102-4に配信してもよい。実装では、経過時間及びハートビート経過時間306は、以下の式を使用して計算されてもよい。
経過時間=(次のTxOPnの開始時間)-(前のTxOPn-1の最大持続時間の終わり)
ハートビート経過時間306=(2Heartbeat  Elapsed  Indication304)*(0.25msec)
ただし、TxOPnは現在の送信機会であり、TxOPn-1は前の送信機会である。ハートビート経過指示（heartbeat  elapsed  indication）304は受信側STAエンド（例えば、STA102-4）により規定されてメッセージ300を通じてSTA102-2に通信される値を含んでもよい。
【００２４】
異なる繰り返しは、処理フローチャート400の論理的な矢印によって更に示されている。
【００２５】
図５は、受信側エンドで無線接続を保持する例示的な方法を示す例示的な処理フローチャート500を示している。この方法が記載される順序は、限定として解釈されることを意図するものではなく、如何なる数の記載の方法のブロックは、この方法又は別の方法を実施するためにいずれかの順序で組み合わされてもよい。更に、ここに記載の対象の要旨及び範囲を逸脱することなく、個々のブロックは、この方法から削除されてもよい。更に、本発明の範囲を逸脱することなく、この方法は、いずれか適切なハードウェア、ソフトウェア、ファームウェア又はこれらの組み合わせで実装されてもよい。
【００２６】
ブロック502において、無線接続の確立が実行される。例えば、接続は、WiGig仕様又はIEEE802.11ad標準を実装する無線通信環境において、第１のSTA（例えば、STA102-2）と他のSTA（例えば、STA102-4）との間に確立されてもよい。
【００２７】
ブロック504において、ハートビートメッセージの構成が実行される。実装では、STA102-4は、ハートビート302及びハートビート経過時間304の値を含むハートビートメッセージ（例えば、メッセージ300）を構成してもよい。この実装では、メッセージ300は、STA102-2と無線接続を保持するときに制御PHY変調されたパケットの受信を示してもよく、制御PHY変調202、SC変調204又はOFDM変調206のようないずれかのタイプの変調の使用を示してもよい。
【００２８】
実装では、STA102-4は、メッセージ300で示された又は構成された変調のタイプに応じて、AGC機能を有効又は無効にすることにより、そのAGC機能を調整することが可能になってもよい。
【００２９】
ブロック506において、ハートビートメッセージ300の送信が実行される。実装では、受信側STA102-4は、ハートビートメッセージ300を送信側STA102-2のようなそのピアに送信してもよい。
【００３０】
ブロック508において、制御PHY変調が受信されるパケットで使用されるか否かの決定が実行される。実装では、メッセージ300は、制御PHY変調202がSTA102-2により送信される第１のTxOPパケットで使用され得るか否かを決定してもよい。制御PHY変調202が使用される場合、ブロック510において、STA102-4は、そのAGC機能を可能にしてもよい。そうでない場合、STA102-4のAGC機能は無効にされる。
【００３１】
ブロック514において、変調されたパケットの受信が実行される。実装では、制御PHY変調されたパケット、SC変調されたパケット又はOFDM変調されたパケットは、送信側STA102-2からSTA102-4により受信されてもよい。この実装では、受信される変調のタイプが制御PHY変調202から他のタイプの変調に変化し得る場合であっても、STA102-4は、どのタイプの変調を受信するかを予想することができ、相応してそのシステムの線形性を維持するためにAGC機能を調整することができてもよい。
【００３２】
例示的な実装の前述の説明において、説明の目的で、特許請求の範囲に記載の本発明をより良く説明するために、特定の番号、素材構成及び他の詳細が示されている。しかし、特許請求の範囲の発明は、ここに記載の例とは異なる詳細を使用して実行されてもよいことが当業者に明らかである。他にも、周知の特徴は例示的な実装の説明を明瞭にするために省略又は簡略化されている。
【００３３】
発明者は、記載の例示的な実装が主に例であることを意図する。発明者は、これらの例示的な実装が特許請求の範囲を限定することを意図しない。むしろ、発明者は、特許請求の範囲に記載の発明がまた他の既存又は将来の技術と共に他の方法で具現及び実装され得ることを考慮する。
【００３４】
この出願で使用される“又は”という用語は、排他的な“又は”ではなく包括的な“又は”を意味することを意図する。すなわち、特に言及しない限り又は文脈から明らかでない限り、“XがA又はBを使用する”は、いずれかの当然の包括的な順列を意味することを意図する。すなわち、XがAを使用する場合、XがBを使用する場合、又はXがA及びBの双方を使用する場合、前述の場合のいずれかのもとで“XがA又はBを使用する”が満たされる。更に、特に言及しない限り、又は単数形に向けられたものであるのが文脈から明らかでない限り、この出願及び特許請求の範囲で使用される単数は、一般的に“１つ以上”を意味するものとして解釈されるべきである。
【００３５】
これらの処理は、機械のみ又はハードウェア、ソフトウェア及び／又はファームウェアの組み合わせで実装され得る動作の系列を表す論理的なフローチャートにおけるブロックの集合として示されている。ソフトウェア／ファームウェアに関して、ブロックは、１つ以上のプロセッサにより実行された場合、記載の動作を実行する１つ以上のコンピュータ読み取り可能記憶装置に格納された命令を表す。
【００３６】
処理が記載される順序は限定として解釈されることを意図するものではなく、如何なる数の記載の処理ブロックは処理又は別の処理を実装するために如何なる順序で組み合わされてもよい点に留意すべきである。更に、ここに記載の対象の要旨及び範囲を逸脱することなく、個々のブロックは処理から削除されてもよい。
【００３７】
図６は、この開示による例示的なシステム600を示している。様々な実装では、システム600はメディアシステムでもよいが、システム600はこの点に限定されない。例えば、システム600は、パーソナルコンピュータ（PC）、ラップトップコンピュータ、ウルトララップトップコンピュータ、タブレット、タッチパッド、ポータブルコンピュータ、ハンドヘルドコンピュータ、パームトップコンピュータ、パーソナルデジタルアシスタント（PDA）、携帯電話、携帯電話／PDAの組み合わせ、テレビ、スマートデバイス（例えば、スマートフォン、スマートタブレット又はスマートテレビ）、モバイルインターネットデバイス（MID）、メッセージングデバイス、データ通信デバイス等に組み込まれてもよい。
【００３８】
様々な実装では、システム600は、ディスプレイ620に結合されたプラットフォーム602を有する。プラットフォーム602は、コンテンツサービスデバイス630若しくはコンテンツ配信デバイス640又は他の同様なコンテンツソースのようなコンテンツデバイスからコンテンツを受信してもよい。例えば、プラットフォーム602及び／又はディスプレイ620と相互作用するために、１つ以上のナビゲーション機能を含むナビゲーションコントローラ650が使用されてもよい。これらのコンポーネントのそれぞれについて以下に詳細に説明する。
【００３９】
様々な実装では、プラットフォーム602は、チップセット605、プロセッサ610、メモリ612、記憶装置614、グラフィックサブシステム615、アプリケーション616及び／又は無線機618のいずれかの組み合わせを含んでもよい。チップセット605は、プロセッサ610、メモリ612、記憶装置614、グラフィックサブシステム615、アプリケーション616及び／又は無線機618の間の相互通信を提供してもよい。例えば、チップセット605は、記憶装置614との相互通信を提供可能な記憶装置アダプタ（図示せず）を含んでもよい。
【００４０】
プロセッサ610は、複雑命令セットコンピュータ（CISC）又は縮小命令セットコンピュータ（RISC）プロセッサ、x86命令セット互換プロセッサ、マルチコア、又は他のマイクロプロセッサ若しくは中央処理装置（CPU）として実装されてもよい。様々な実施例では、プロセッサ610は、シングルコア又はマルチコアのプロセッサ、シングルコア又はマルチコアのモバイルプロセッサ等を有してもよい。
【００４１】
メモリ612は、ランダムアクセスメモリ（RAM）、ダイナミックランダムアクセスメモリ（DRAM）又はスタティックRAM（SRAM）に限定されず、このような揮発性メモリデバイスとして実装されてもよい。
【００４２】
記憶装置614は、磁気ディスクドライブ、光ディスクドライブ、テープドライブ、内部記憶デバイス、取り付け型記憶デバイス、フラッシュメモリ、バッテリバックアップSDRAM（シンクロナスDRAM）、及び／又はネットワークアクセス可能な記憶デバイスに限定されず、このような不揮発性記憶デバイスとして実装されてもよい。様々な実施例では、記憶装置614は、例えば、複数のハードドライブが含まれる場合、貴重なデジタルデータの記憶性能の拡張した保護を増大させる技術を含んでもよい。
【００４３】
グラフィックサブシステム615は、表示用の静止画又はビデオのような画像の処理を実行してもよい。グラフィックサブシステム615は、例えば、グラフィック処理ユニット（GPU）又はビジュアル処理ユニット（VPU）でもよい。グラフィックサブシステム615とディスプレイ620とを通信可能に結合するために、アナログ又はデジタルインタフェースが使用されてもよい。例えば、インタフェースは、高精細度マルチメディアインタフェース（High-Definition  Multimedia  Interface）、ディスプレイポート（DisplayPort）、無線HDMI（登録商標）及び／又は無線HD準拠の技術のいずれかでもよい。グラフィックサブシステム615は、プロセッサ610又はチップセット605に統合されてもよい。或る実装では、グラフィックサブシステム615は、チップセット605に通信可能に結合されたスタンドアローン型カードでもよい。
【００４４】
ここに記載のグラフィック及び／又はビデオ処理技術は、様々なハードウェアアーキテクチャで実装されてもよい。例えば、グラフィック及び／又はビデオ機能は、チップセット内に統合されてもよい。或いは、別のグラフィック及び／又はビデオプロセッサが使用されてもよい。更に他の実装として、グラフィック及び／又はビデオ機能は、マルチコアプロセッサを含む汎用プロセッサにより実装されてもよい。更なる実施例では、この機能は家庭用電子機器に実装されてもよい。
【００４５】
無線機618は、様々な適切な無線通信技術を使用して信号を送信及び受信可能な１つ以上の無線機を含んでもよい。このような技術は、１つ以上の無線ネットワークを通じた通信を含んでもよい。例示的な無線ネットワークは、無線ローカルエリアネットワーク（WLAN）、無線パーソナルエリアネットワーク（WPAN）、無線メトロポリタンエリアネットワーク（WMAN）、セルラネットワーク及び衛星ネットワークを含む（これらに限定されない）。このようなネットワークを通じて通信するときに、無線機618は、いずれかのバージョンの１つ以上の適切な標準に従って動作してもよい。
【００４６】
様々な実装では、ディスプレイ620は、いずれかのテレビ型モニタ又はディスプレイを含んでもよい。ディスプレイ620は、例えば、コンピュータディスプレイ画面、タッチスクリーンディスプレイ、ビデオモニタ、テレビのようなデバイス及び／又はテレビを含んでもよい。ディスプレイ620は、デジタル及び／又はアナログでもよい。実装では、ディスプレイ620は、ホログラフィックディスプレイでもよい。また、ディスプレイ620は、視覚投影を受け取ることができる透明な表面でもよい。このような投影は、様々な形式の情報、画像及び／又はオブジェクトを伝達してもよい。例えば、このような投影は、モバイル拡張現実（MAR：mobile  augmented  reality）アプリケーションの視覚オーバーレイでもよい。１つ以上のソフトウェアアプリケーション616の制御で、プラットフォーム602は、ディスプレイ620にユーザインタフェース622を表示してもよい。
【００４７】
様々な実装では、コンテンツサービスデバイス630は、いずれかの国内、国際及び／又は独立のサービスによりホストされ、従って、例えばインターネットを介してプラットフォーム602にアクセス可能になってもよい。コンテンツサービスデバイス630は、プラットフォーム602及び／又はディスプレイ620に結合されてもよい。プラットフォーム602及び／又はコンテンツサービスデバイス630は、ネットワーク660へのメディア情報及びネットワーク660からのメディア情報を通信（例えば、送信及び／又は受信）するために、ネットワーク660に結合されてもよい。コンテンツ配信デバイス640もまた、プラットフォーム602及び／又はディスプレイ620に結合されてもよい。
【００４８】
様々な実装では、コンテンツサービスデバイス630は、ケーブルテレビボックス、パーソナルコンピュータ、ネットワーク、電話、カメラ、インターネット可能デバイス又はデジタル情報及び／又はコンテンツを配信可能な機器、並びにコンテンツプロバイダとプラットフォーム602及び／又はディスプレイ520との間で直接に又はネットワーク560を介して一方向又は双方向に通信可能な他の同様なデバイスを含んでもよい。コンテンツは、ネットワーク660を介してシステム600のコンポーネント及びコンテンツプロバイダのいずれか１つへ及びいずれか１つから一方向及び／又は双方向に通信されてもよいことが分かる。コンテンツの例は、例えば、ビデオ、音楽、医療及びゲーム情報等を含む如何なるメディア情報を含んでもよい。
【００４９】
コンテンツサービスデバイス630は、メディア情報、デジタル情報及び／又は他のコンテンツを含み、ケーブルテレビ番組のようなコンテンツを受信してもよい。コンテンツプロバイダの例は、いずれかのケーブル若しくは衛星テレビ又はラジオ若しくはインターネットコンテンツプロバイダを含んでもよい。提供される例は、この開示による実装を限定することを意味するものではない。
【００５０】
様々な実装では、プラットフォーム602は、１つ以上のナビゲーション機能を有するナビゲーションコントローラ650から制御信号を受信してもよい。コントローラ650のナビゲーション機能は、例えば、ユーザインタフェース622と相互作用するために使用されてもよい。実施例では、ナビゲーションコントローラ650は、ユーザが空間（例えば連続及び多次元）データをコンピュータに入力することを可能にするコンピュータハードウェアコンポーネント（特にヒューマンインタフェースデバイス）でもよいポインティングデバイスでもよい。グラフィカルユーザインタフェース（GUI）、テレビ及びモニタのようなのような多くのシステムは、ユーザが物理的ジェスチャを使用してコンピュータ又はテレビへのデータを制御及び提供することを可能にする。
【００５１】
コントローラ650のナビゲーション機能の動きは、ディスプレイに表示されるポインタ、カーソル、フォーカスリング又は他の視覚インジケータの動きにより、ディスプレイ（例えば、ディスプレイ620）に反映されてもよい。例えば、ソフトウェアアプリケーション616の制御で、ナビゲーションコントローラ650に存在するナビゲーション機能は、例えば、ユーザインタフェース622に表示される仮想ナビゲーション機能にマッピングされてもよい。実施例では、コントローラ650は、別のコンポーネントではなく、プラットフォーム602及び／又はディスプレイ620に統合されてもよい。しかし、実施例はここに図示又は記載の要素又は状況に限定されない。
【００５２】
様々な実装では、ドライバ（図示せず）は、例えば、有効である場合、初期ブートアップ後にユーザがボタンに触れることによりテレビのようにプラットフォーム602を直ちに電源オン及びオフすることを可能にする技術を含んでもよい。プログラムロジックは、プラットフォームが“オフ”にされているときであっても、プラットフォーム602がコンテンツをメディアアダプタ又は他のコンテンツサービスデバイス630若しくはコンテンツ配信デバイス640にストリーミングすることを可能にしてもよい。更に、チップセット605は、例えば、5.1サラウンド・サウンド・オーディオ及び／又は高精細度7.1サラウンド・サウンド・オーディオのためのハードウェア及び／又はソフトウエアのサポートを含んでもよい。ドライバは、統合されたグラフィックプラットフォームのためのグラフィックドライバを含んでもよい。実施例では、グラフィックドライバは、PCI（peripheral  component  interconnect）Expressグラフィックカードを有してもよい。
【００５３】
様々な実装では、システム600に示すコンポーネントのうちいずれか１つ以上は、統合されてもよい。例えば、プラットフォーム602及びコンテンツサービスデバイス630は統合されてもよく、プラットフォーム602及びコンテンツ配信デバイス640は統合されてもよく、プラットフォーム602、コンテンツサービスデバイス630及びコンテンツ配信デバイス640は統合されてもよい。様々な実施例では、プラットフォーム602及びディスプレイ620は、統合されたユニットでもよい。例えば、ディスプレイ620及びコンテンツサービスデバイス630は統合されてもよく、ディスプレイ620及びコンテンツ配信デバイス640は統合されてもよい。これらの例は本発明を限定することを意味するものではない。
【００５４】
様々な実施例では、システム600は、無線システム、有線システム又は双方の組み合わせとして実装されてもよい。無線システムとして実装される場合、システム600は、１つ以上のアンテナ、送信機、受信機、トランシーバ、増幅器、フィルタ、制御ロジック等のような無線共有媒体で通信するのに適したコンポーネント及びインタフェースを含んでもよい。無線共有媒体の例は、RFスペクトル等のような無線スペクトルの一部を含んでもよい。有線システムとして実装される場合、システム600は、入出力（I/O）アダプタ、対応する有線通信媒体とI/Oアダプタとを接続する物理コネクタ、ネットワークインタフェースカード（NIC）、ディスクコントローラ、ビデオコントローラ、オーディオコントローラ等のような有線通信媒体で通信するのに適したコンポーネント及びインタフェースを含んでもよい。有線通信媒体の例は、配線、ケーブル、金属リード、印刷基板回路（PCB）、バックプレーン、スイッチファブリック、半導体材料、ツイストペアケーブル、同軸ケーブル、光ファイバケーブル等を含んでもよい。
【００５５】
プラットフォーム602は、情報を通信するために１つ以上の論理又は物理チャネルを確立してもよい。情報は、メディア情報と制御情報とを含んでもよい。メディア情報は、ユーザに対して意図するコンテンツを表す如何なるデータを示してもよい。コンテンツの例は、例えば、音声会話、テレビ会議、ストリーミングビデオ、電子メール（email）メッセージ、音声メールメッセージ、英数字シンボル、グラフィック、画像、ビデオ、テキスト等からのデータを含んでもよい。音声会話からのデータは、例えば、音声情報、沈黙期間、背景雑音、快適な雑音、トーン等でもよい。制御情報は、自動化システムに対して意図するコマンド、命令又は制御ワードを表す如何なるデータを示してもよい。例えば、制御情報は、システムを通じてメディア情報をルーティングするため、又は所定の方法でメディア情報を処理するようにノードに命令するために使用されてもよい。しかし、実施例は図６に図示又は説明する要素又は状況に限定されない。
【００５６】
前述のように、システム600は、様々な物理的様式又は形状に具現されてもよい。図６は、システム600のコンポーネントが具現され得る小型デバイス600の実装を示している。実施例では、例えば、デバイス600は、無線機能を有するモバイルコンピュータデバイスとして実装されてもよい。モバイルコンピュータデバイスは、例えば、１つ以上のバッテリのようなモバイル動力源又は電源と処理システムとを有する如何なるデバイスを示してもよい。
【００５７】
前述のように、モバイルコンピュータデバイスの例は、パーソナルコンピュータ（PC）、ラップトップコンピュータ、ウルトララップトップコンピュータ、タブレット、タッチパッド、ポータブルコンピュータ、ハンドヘルドコンピュータ、パームトップコンピュータ、パーソナルデジタルアシスタント（PDA）、携帯電話、携帯電話／PDAの組み合わせ、テレビ、スマートデバイス（例えば、スマートフォン、スマートタブレット又はスマートテレビ）、モバイルインターネットデバイス（MID）、メッセージングデバイス、データ通信デバイス等を含んでもよい。
【００５８】
モバイルコンピュータデバイスの例はまた、手首装着コンピュータ、指装着コンピュータ、指輪型コンピュータ、眼鏡型コンピュータ、ベルトチップコンピュータ、アームバンドコンピュータ、靴型コンピュータ、衣類型コンピュータ、及び他の装着可能なコンピュータのように、人により装着されるように構成されたコンピュータを含んでもよい。様々な実施例では、例えば、モバイルコンピュータデバイスは、コンピュータアプリケーションと、音声通信及び／又はデータ通信とを実行可能なスマートフォンとして実装されてもよい。いくつかの実施例は、一例としてスマートフォンとして実装されるモバイルコンピュータデバイスについて説明することがあるが、他の実施例は、同様に他の無線モバイルコンピュータデバイスを使用して実装されてもよいことが分かる。実施例はこの点に限定されない。
【００５９】
図７に示すように、デバイス700は、筐体702と、ディスプレイ704と、入出力（I/O）デバイス706と、アンテナ708とを有してもよい。デバイス700はまた、ナビゲーション機能712を含んでもよい。ディスプレイ704は、モバイルコンピュータデバイスに適切な情報を表示するためのいずれか適切なディスプレイユニットを有してもよい。
【００６０】
I/Oデバイス706は、情報をモバイルコンピュータデバイスに入力するためのいずれか適切なI/Oデバイスを有してもよい。I/Oデバイス706の例は、英数字キーボード、数字キーパッド、タッチパッド、入力キー、ボタン、スイッチ、ロッカースイッチ、マイクロフォン、スピーカ、音声認識デバイス及びソフトウェア等を含んでもよい。情報はまた、マイクロフォン（図示せず）によりデバイス700に入力されてもよい。このような情報は、音声認識デバイス（図示せず）によりデジタル化されてもよい。実施例はこの点に限定されない。
【００６１】
様々な実施例は、ハードウェアエレメント、ソフトウェアエレメント又は双方の組み合わせを使用して実装されてもよい。ハードウェアエレメントの例は、プロセッサ、マイクロプロセッサ、回路、回路素子（例えば、トランジスタ、抵抗、コンデンサ、インダクタ等）、集積回路、特定用途向け集積回路（ASIC）、プログラム可能論理デバイス（PLD）、デジタルシグナルプロセッサ（DSP）、フィールドプログラマブルゲートアレイ（FPGA）、論理ゲート、レジスタ、半導体デバイス、チップ、マイクロチップ、チップセット等を含んでもよい。ソフトウェアの例は、ソフトウェアコンポーネント、プログラム、アプリケーション、コンピュータプログラム、アプリケーションプログラム、システムプログラム、機械プログラム、オペレーティングシステムソフトウェア、ドライバ、ミドルウェア、ファームウェア、ソフトウェアモジュール、ルーチン、サブルーチン、関数、メソッド、プロシージャ、ソフトウェアインタフェース、アプリケーションプログラムインタフェース（API）、命令セット、計算コード、コンピュータコード、コードセグメント、コンピュータコードセグメント、ワード、値、シンボル、又はこれらのいずれかの組み合わせを含んでもよい。実施例がハードウェアエレメント及び／又はソフトウェアエレメントを使用して実装されるか否かの決定は、所望の計算レート、パワーレベル、熱耐性、処理サイクル予算、入力データレート、出力データレート、メモリリソース、データバス速度及び他の設計若しくは性能上の制約のようないずれかの数の要因に従って変化してもよい。
【００６２】
少なくとも１つの実施例の１つ以上の態様は、プロセッサ内の様々なロジックを表す機械読み取り可能媒体に格納された表現上の命令により実装されてもよい。これは、機械により読み取られた場合、機械に対してここに記載の技術を実行するロジックを実現させる。“IPコア（IP  core）”として知られるこのような表現は、有形の機械読み取り可能な媒体に格納され、実際にロジック又はプロセッサを作る組み立て機械にロードするため、様々な消費者又は製造工場に供給されてもよい。
【００６３】
ここに示す特定の特徴について、様々な実装を参照して説明したが、この説明は限定的な意味で解釈されることを意図するものではない。従って、ここに記載の実装の様々な実装及びこの開示が関係する当業者に明らかな他の実装は、この開示の要旨及び範囲内に入るものと考えられる。
【００６４】
本発明による実現について、特定の実施例に関して説明した。これらの実施例は、例示的であり、限定的でないことを意味する。多くの変更、変形、追加及び改善が可能である。従って、複数のインスタンスは、単一のインスタンスとしてここに記載されたコンポーネントに提供されてもよい。様々なコンポーネント、動作及びデータ記憶装置の間の境界は、幾分か任意であり、特定の動作は、特定の例示的な構成に関して説明される。機能の他の割り当ても考えられ、以下の特許請求の範囲内に入り得る。最後に、様々な構成において別個のコンポーネントとして提示された構成及び機能は、組み合わされた構成又はコンポーネントとして実装されてもよい。前記及び他の変形、変更、追加及び改善は、以下の特許請求の範囲に記載の本発明の範囲内に入り得る。
【図１】
0006042546.tif 000002
【図２】
0006042546.tif 000003
【図３】
0006042546.tif 000004
【図４】
0006042546.tif 000005
【図５】
0006042546.tif 000006
【図６】
0006042546.tif 000007
【図７】
0006042546.tif 000008